(57)【要約】【課題】光ディスク装置間で互換性の取りにくい記録パワーに起因する上書き記録品質の向上と光ディスクの記録耐用回数の向上を両立することが可能な光ディスク記録方法を提供することを目的とする。【解決手段】本発明の光ディスク装置は、書き換え型の光ディスク１０１に上書き記録を行う光ディスクへの記録方法であって、光ディスクに既に記録されている記録信号の大きさに応じて（Ｓ３）、光ディスクに上書きする最適記録パワーを切り替えること（Ｓ７）を特徴とする光ディスク記録方法。【選択図】図２
2006127592.tif 000002
【特許請求の範囲】
【請求項１】
書き換え型の光ディスクに上書き記録を行う光ディスクへの記録方法であって、光ディスクに既に記録されている記録信号の大きさに応じて、前記光ディスクに上書きする最適記録パワーを切り替えることを特徴とする光ディスク記録方法。
【請求項２】
前記最適記録パワーは、前記光ディスクに、既に記録されている記録信号の大きさに対して、８５〜９５％の記録パワーを最適記録パワーとして用いることを特徴とする請求項１記載の光ディスク記録方法。
【請求項３】
前記書き換え型の光ディスクに対して、既に記録されている記録信号の大きさが大きすぎて、書き換え可能な記録パワーが光ディスクの記録パワー許容範囲を超える場合に、使用者から要求されたデータの記録行程の前に、前記書き換え型の光ディスクに対して、ダミーデータで上書き記録を行ない、その後、更にその上から使用者に要求されたデータの上書き記録を行なうことを特徴とする請求項１記載の光ディスク記録方法。
【請求項４】
前記書き換え型の光ディスクに対して、既に記録されている記録信号の大きさが大きすぎて、書き換え可能な記録パワーが光ディスクの記録パワー許容範囲を超える場合に、使用者から要求されたデータの記録行程の前に、上書き記録が必要な部分をあらかじめ消去し、その後、更にその上から使用者に要求されたデータの記録を行なうことを特徴とする請求項１記載の光ディスク記録方法。
【請求項５】
前記書き換え型の光ディスクに対して、既に記録されている信号の大きさが大きすぎて、書き換え可能な記録パワーが光ディスクの記録パワー許容範囲を超える場合に、使用者へ警告メッセージを与えることを特徴とする請求項１記載の光ディスク記録方法。
【発明の詳細な説明】
【技術分野】
【０００１】
本発明は、光ピックアップにより光ディスクに対して情報の記録を行なう光ディスク記録方法に関するものである。
【背景技術】
【０００２】
光ディスク装置は、ＣＤ−ＲＯＭ／Ｒ／ＲＷ、ＤＶＤ−ＲＯＭ／ＲＡＭ／Ｒ／ＲＷなどがすでに実用化されており、各方面への応用と高性能化への開発が活発に行われている。特に最近では、パーソナルコンピュータの急速な市場拡大に伴い、光ディスク装置のパーソナルコンピュータへの内蔵普及率も高くなっている。
【０００３】
ここで、従来の光ディスク装置の構成について、図を用いて説明する。
【０００４】
図５は従来の光ディスク装置における光ピックアップ制御部のブロック図である。図５において、１はレーザダイオード、２は光ピックアップ、３は受光回路、４はフォトダイオード、５はドライバ回路、６はパターン生成回路、７はレーザパワー制御回路、８はアナログ信号生成回路、９はＡ／Ｄコンバータ、１０はＣＰＵであり、１１はＲＯＭ、１１ａは格納部、１２はＲＡＭである。
【０００５】
以上のように構成された従来の技術における光ピックアップ制御部の動作について説明する。
【０００６】
１は光ディスク１０１に対して書き込み／読み込み用のレーザを出射するレーザダイオードである。レーザダイオード１は、レーザダイオード１に電流を供給するドライバ回路５により駆動され、ドライバ回路５は、ドライバ回路５の出力電流のタイミングとレーザパワーの発光パターンを制御するパターン生成回路６と、ドライバ回路５の出力電流を制御するための電圧を与えるレーザパワー制御回路７により制御される。パターン生成回路６とレーザパワー制御回路７はそれぞれＣＰＵ１０と接続されており、光ピックアップ２を制御するための信号の送受信を行なっている。
【０００７】
一方、レーザダイオード１から出射されたレーザ光は光ピックアップ２を通り、屈折、集光、回折され、光ディスク１０１に到達する。光ディスク１０１に到達したレーザ光は反射され、再度光ピックアップ２を通り、受光回路３に到達する。受光回路３では、光ディスク１０１からの反射光を受光して電気信号に変換する。変換された電気信号はアナログ信号生成回路８に送られ、アナログ信号生成回路８では、ＲＦ信号などのアナログ信号が生成され、Ａ／Ｄコンバータ９とＣＰＵ１０に送られる。Ａ／Ｄコンバータ９に送られたアナログ信号は、ここでアナログ信号の大きさが測定され、その情報はＣＰＵ１０に送られ、ＣＰＵ１０ではＲＯＭ１１の格納部１１ａにあらかじめ格納されたＯｐｔｉｍｉｚｅｄ  Ｐｏｗｅｒ  Ｃｏｎｔｒｏｌ（以下ＯＰＣ）のパラメータを利用して、最適記録パワーの決定を行なう。
【０００８】
また、レーザダイオード１から出射されたレーザ光の一部は、フォトダイオード４に受光され電気信号に変換され、レーザパワー制御回路７に送られ、レーザパワー制御回路７のフィードバックに用いられる。
【０００９】
次に、従来の技術における記録レーザパワー補正の一例として、ＣＤ−ＲＷの場合について説明する。
【００１０】
図６は、従来の光ディスク記録方法を示すフローチャートである。
【００１１】
光ディスク装置は、光ディスク１０１が挿入されると、まずスピンドルモータ１０２を回転させ、フォーカスサーボ、トラッキングサーボをかけ、光ディスク種類の判別を行なう（Ｓ１０１）。次に、光ディスク１０１へ記録するための最適記録パワーを求めるために、光ディスク１０１にあらかじめ記録された製造者名、グレードなどのディスク情報をもとにＯＰＣパラメータの設定を行ない（Ｓ１０２）、ＯＰＣ動作を実行する（Ｓ１０３）。
【００１２】
ＯＰＣ動作は、実際の記録動作を開始し、ある一定量の記録が終了した時に、故意に記録動作を中断し、自身が記録した最終記録領域の一部分のみ再生する。再生した時に光ディスク１０１から戻ってくる反射光は、受光回路３によって受光され、電気信号に変換され、アナログ信号生成回路８、Ａ／Ｄコンバータ９を介してＣＰＵ１０に送られる。ＣＰＵ１０では、最適記録パワーの決定（Ｓ１０４）が行なわれた後、その最適記録パワーを用いて使用者に要求されたデータの上書き記録を行なう（Ｓ１０５）。
【００１３】
先行例としては、（特許文献１）等がある。
【特許文献１】特開平９−７２４５号公報
【発明の開示】
【発明が解決しようとする課題】
【００１４】
しかしながら、上記従来の構成では、書き換え型の光ディスクに上書き記録をする場合において、未使用の光ディスクと既に記録が行なわれている光ディスクの上書きに対する記録パワーが同じであるため、既に他の光ディスク装置などにより大きな記録パワーで記録されている光ディスクに上書き記録をする場合、完全に書き換えをすることができず、記録品質の悪化を招く。また、上書き記録の品質を良くしようとして過大な記録パワーで上書き記録を行なうと光ディスクの記録耐用回数が悪化する問題があった。
【００１５】
本発明は、このような従来の課題を解決するものであり、光ディスク装置間で互換性の取りにくい記録パワーに起因する上書き記録品質の向上と光ディスクの記録耐用回数の向上を両立することが可能な光ディスク記録方法を提供することを目的とする。
【課題を解決するための手段】
【００１６】
本発明は、上記課題を解決するためになされたものであって、書き換え型の光ディスクに上書き記録をする場合であって、前記光ディスクに、既に記録されている記録信号の大きさに応じて、前記光ディスクに上書きする最適記録パワーを切り替えることを特徴とする光ディスク記録方法である。
【発明の効果】
【００１７】
本発明は上記構成により、書き換え型の光ディスクの上書き記録において、光ディスクに対して、既に記録されている記録信号の大きさをもとに上書きの記録パワーを決定することができるため、光ディスクの記録状態に応じて最適な記録条件を設定することができ、上書き記録品質の向上と光ディスクの記録耐用回数の向上をすることができる。
【００１８】
このことにより、光ディスク装置間で互換性の取りにくい記録パワーに起因する上書き記録品質の向上と光ディスクの記録耐用回数の向上を両立することが可能な光ディスク記録方法を実現することができる。
【発明を実施するための最良の形態】
【００１９】
請求項１記載の発明は、書き換え型の光ディスクに上書き記録を行う光ディスクへの記
録方法であって、光ディスクに既に記録されている記録信号の大きさに応じて、前記光ディスクに上書きする最適記録パワーを切り替えることを特徴とするものである。光ディスクに既に記録されている記録信号の大きさに応じて、光ディスクに上書きする最適記録パワーを切り替えることによって、書き換え型光ディスクの上書き記録において、光ディスクに既に記録されている記録信号の大きさをもとに上書き記録の記録パワーの決定することができるため、光ディスクの記録状態に応じて最適な記録条件を設定することができ、上書き記録品質の向上と光ディスクの記録耐用回数の向上をすることができる。このことにより、光ディスク装置間で互換性の取りにくい記録パワーに起因する上書き記録品質の向上と光ディスクの記録耐用回数の向上を両立することが可能な光ディスク記録方法を実現することができる。
【００２０】
請求項２記載の発明は、前記最適記録パワーが、前記光ディスクに、既に記録されている記録信号の大きさに対して、８５〜９５％の記録パワーを最適記録パワーとして用いることを特徴とするものである。最適記録パワーが、前記光ディスクに、既に記録されている記録信号の大きさに対して、８５〜９５％の記録パワーを最適記録パワーとして用いることによって、光ディスクへの上書き特性を維持したまま、光ディスクの記録耐用回数の向上をすることができる。
【００２１】
請求項３記載の発明は、前記書き換え型の光ディスクに対して、既に記録されている記録信号の大きさが大きすぎて、書き換え可能な記録パワーが光ディスクの記録パワー許容範囲を超える場合に、使用者から要求されたデータの記録行程の前に、前記書き換え型の光ディスクに対して、ダミーデータで上書き記録を行ない、その後、更にその上から使用者に要求されたデータの上書き記録を行なうことを特徴とするものである。使用者から要求されたデータの記録行程の前に、前記書き換え型の光ディスクに対して、ダミーデータで上書き記録を行なうことによって、ダミーデータの記録情報の信頼性は落ちるものの書き換え型の光ディスクに対して既に記録されている信号の大きさが大きな信号を一旦信号の大きさが小さな信号に引き下げることが可能となり、また、その後、更にその上から使用者に要求されたデータの上書き記録を行なうことによって、光ディスクの記録耐用回数に与える影響を最小限に抑えることと同時に、光ディスクへの上書き特性を向上させることが可能となる。
【００２２】
請求項４記載の発明は、前記書き換え型の光ディスクに対して、既に記録されている記録信号の大きさが大きすぎて、書き換え可能な記録パワーが光ディスクの記録パワー許容範囲を超える場合に、使用者から要求されたデータの記録行程の前に、上書き記録が必要な部分をあらかじめ消去し、その後、更にその上から使用者に要求されたデータの記録を行なうことを特徴とするものである。使用者から要求されたデータの記録行程の前に、上書き記録が必要な部分をあらかじめ消去することによって、前記書き換え型の光ディスクに対して既に記録されている信号の大きさが大きい信号を一旦信号の大きさが小さい信号に引き下げることが可能となり、また、その後、更にその上から使用者に要求されたデータの記録を行なうことによって、光ディスクの記録耐用回数に与える影響を最小限に抑えることと同時に、光ディスクへの上書き特性を向上させることが可能となる。
【００２３】
請求項５記載の発明は、前記書き換え型の光ディスクに対して、既に記録されている信号の大きさが大きすぎて、書き換え可能な記録パワーが光ディスクの記録パワー許容範囲を超える場合に、使用者へ警告メッセージを与えることを特徴とするものである。使用者へ警告メッセージを与えることによって、上書き可能なパワーでは光ディスクにダメージを与えてしまう可能性がある場合をあらかじめ知らせることが可能となり、大切なデータが喪失する不用意な光ディスクの破壊を未然に回避することができる。
【００２４】
（実施の形態１）
以下、本発明の実施の形態１について、図面を参照しながら説明する。
【００２５】
図１は本発明の実施の形態１における光ディスク装置の光ピックアップ制御部のブロック図である。図１において、１はレーザダイオード、２は光ピックアップ、３は受光回路、４はフォトダイオード、５はドライバ回路、６はパターン生成回路、７はレーザパワー制御回路、８はアナログ信号生成回路、９はＡ／Ｄコンバータ、１０はＣＰＵであり、１１はＲＯＭ、１２はＲＡＭである。
【００２６】
１は光ディスク１０１に対して書き込み／読み込み用のレーザを出射するレーザダイオードである。レーザダイオード１は、レーザダイオード１に電流を供給するドライバ回路５により駆動され、ドライバ回路５は、ドライバ回路５の出力電流のタイミングとレーザパワーの発光パターンを制御するパターン生成回路６と、ドライバ回路５の出力電流を制御するための電圧を与えるレーザパワー制御回路７により制御される。パターン生成回路６とレーザパワー制御回路７はそれぞれＣＰＵ１０と接続されており、光ピックアップ２を制御するための信号の送受信を行なっている。
【００２７】
一方、レーザダイオード１から出射されたレーザ光は光ピックアップ２を通り、屈折、集光、回折され、光ディスク１０１に到達する。光ディスク１０１に到達したレーザ光は反射され、再度、光ピックアップ２を通り、受光回路３に到達する。受光回路３では、光ディスク１０１からの反射光を受光して電気信号に変換する。変換された電気信号はアナログ信号生成回路８に送られ、アナログ信号生成回路８では、ＲＦ信号などのアナログ信号が生成され、Ａ／Ｄコンバータ９とＣＰＵ１０に送られる。Ａ／Ｄコンバータ９に送られたアナログ信号は、ここでアナログ信号の大きさが測定され、その情報はＣＰＵ１０に送られ、ＣＰＵ１０ではＲＯＭ１１にあらかじめ格納されたＯｐｔｉｍｉｚｅｄ  Ｐｏｗｅｒ  Ｃｏｎｔｒｏｌ（以下ＯＰＣ）のパラメータを利用して、最適記録パワーの決定が行なわれる。
【００２８】
また、レーザダイオード１から出射されたレーザ光の一部は、フォトダイオード４に受光され電気信号に変換され、レーザパワー制御回路７に送られ、レーザパワー制御回路７のフィードバックに用いられる。
【００２９】
次に、本発明における光ディスク記録方法の一例として、ＣＤ−ＲＷの場合について説明する。
【００３０】
図２は、本発明の実施の形態１における光ディスク記録方法を示すフローチャートである。
【００３１】
光ディスク装置は、光ディスク１０１が挿入されると、まずスピンドルモータ１０２を回転させ、フォーカスサーボ、トラッキングサーボをかけ、光ディスク種類の判別を行なう（Ｓ１）。次に、Ａ／Ｄコンバータ９から出力されたＲＦ信号をもとにＣＰＵ１０で、光ディスク１０１に対して既に記録がなされているかの確認を行なう（Ｓ２）。
【００３２】
記録済みであるかの確認（Ｓ２）によって、光ディスク１０１が未記録の場合には、従来の技術と同様に、光ディスク１０１へ記録するための最適記録パワーを求めるために光ディスク１０１にあらかじめ記録された情報をもとにＯＰＣパラメータの設定を行ない（Ｓ５）、ＯＰＣ動作を実行する（Ｓ６）。
【００３３】
ＯＰＣ動作は、実際の記録動作を開始し、ある一定量の記録が終了した時に、故意に記録動作を中断し、自身が記録した最終記録領域の一部分のみ再生する。再生した時に光ディスク１０１から戻ってくる反射光は、受光回路３によって受光され、電気信号に変換さ
れ、アナログ信号生成回路８、Ａ／Ｄコンバータ９を介してＣＰＵ１０に送られる。ＣＰＵ１０では、最適記録パワーの決定（Ｓ７）が行なわれた後、その最適記録パワーを用いて使用者に要求されたデータの上書き記録を行なう（Ｓ８）。
【００３４】
また、記録済みであるかの確認（Ｓ２）によって、光ディスク１０１に対して、既に情報が記録されている場合には、Ａ／Ｄコンバータ９から出力されたＲＦ信号の大きさにより、ＣＰＵ１０が前回記録時の記録パワーを算出（Ｓ３）し、その記録パワーのデータが書き換え可能であるかどうかの判断を行なう（Ｓ４）。その記録パワーのデータが書き換え可能な状態であれば、ＲＯＭ１１の格納部１１ｂから上書きするのに最適なＯＰＣパラメータを取り出し設定し（Ｓ５）、ＯＰＣ動作を実行する（Ｓ６）。
【００３５】
本実施の形態では、ＲＯＭ１１の格納部１１ｂに、４０ｍＷから６０ｍＷまでを１０等分した上書き記録専用のＯＰＣパラメータが格納されており、これらを用いて、最適記録パワーの切り替えを行なうことにより、書き換え型の光ディスク１０１の上書き記録パワー許容範囲を少なくとも網羅することが可能となる。また、書き換え型の光ディスク１０１の上書きに使用する最適記録パワーは、光ディスク１０１に既に記録されている記録信号の大きさに対して、８５〜９５％の記録パワーを最適記録パワーとして用いた。これにより、書き換え型光ディスクの上書き記録において、光ディスクに、既に記録されている記録信号の大きさをもとに上書き記録の記録パワーの決定することができるため、光ディスクの記録状態に応じて最適な記録条件を設定することができ、上書き記録品質の向上と光ディスクの記録耐用回数の向上をすることができる。
【００３６】
次に、最適記録パワーの決定（Ｓ７）とその最適記録パワーを用いて使用者に要求されたデータの上書き記録を行なう（Ｓ８）。ＣＰＵ１０が前回記録時の記録パワーを算出（Ｓ３）し、そのデータが書き換え可能な状態でなければ、前記書き換え型の光ディスク１０１に、既に記録された記録信号の大きさに対して、７０〜９０％程度の記録パワーを決定し（Ｓ１１）、その記録パワーによりダミーデータで上書き記録（Ｓ１２）を行ない、その後、更にその上から使用者に要求されたデータの上書き記録を５０ｍＷ程度の記録パワーで行なう（Ｓ１３）。
【００３７】
以降、上述の内容と同様に、ＯＰＣパラメータ設定（Ｓ５）、ＯＰＣ実行（Ｓ６）、最適記録パワーの決定（Ｓ７）、データの上書き記録（Ｓ８）を順次行なう。そうすることにより、ダミーデータの記録情報の信頼性は落ちるものの書き換え型の光ディスク１０１に対して既に記録されている信号の大きさが大きい信号を一旦信号の大きさが小さい信号に引き下げることが可能となり、また、その後、更にその上から使用者に要求されたデータの上書き記録を小さい記録パワーで行なうことによって、光ディスク１０１の記録耐用回数に与える影響を最小限に抑えることが可能となる。
【００３８】
これらのことにより、光ディスク装置間で互換性の取りにくい記録パワーに起因する上書き記録品質の向上と光ディスクの記録耐用回数の向上を両立することが可能な光ディスク記録方法を実現することができる。
【００３９】
なお、本実施の形態では、ＲＯＭ１１の格納部１１ｂに、４０ｍＷ〜６０ｍＷまでを１０等分した上書き記録専用のＯＰＣパラメータが格納されており、これらを用いて、最適記録パワーの切り替えを行なうこととしたが、ＲＯＭ１１の格納部１１ｂに格納されている上書き記録専用のＯＰＣパラメータは上述のものに限定されるものでは無く、また、書き換え型の光ディスク１０１の上書きに使用する最適記録パワーは、光ディスク１０１に既に記録されている記録信号の大きさに対して、８５〜９５％の記録パワーに限定されるものではない。光ディスク１０１の記録状態に応じて最適な記録条件を設定し、また、光ディスク１０１への上書き特性を維持したまま、光ディスク１０１の記録耐用回数の向上
させようと思えば、ＲＯＭ１１の格納部１１ｂに、４０ｍＷ〜６０ｍＷまでを１０等分した上書き記録専用のＯＰＣパラメータが格納されており、これらを用いて、最適記録パワーの切り替えを行ない、また、書き換え型の光ディスク１０１の上書きに使用する最適記録パワーは、光ディスク１０１に既に記録されている記録信号の大きさに対して、８５〜９５％の記録パワーを用いるのが好ましい。
【００４０】
また、本実施の形態では、使用者に要求されたデータの上書き記録を５０ｍＷ程度の記録パワーで行なうこととしたが、データの上書き記録は５０ｍＷ程度の記録パワーに限定されるものでは無い。光ディスク１０１の記録耐用回数に与える影響を最小限に抑えることと同時に、光ディスク１０１への上書き特性を向上させようと思えば、使用者に要求されたデータの上書き記録を５０ｍＷ程度の記録パワーで行なうことが好ましい。
【００４１】
さらに、本実施の形態では、書き換え型の光ディスク１０１をＣＤ−ＲＷであることとして説明したが、書き換え型の光ディスク１０１はＣＤ−ＲＷに限定されるものでは無い。書き換え型の光ディスク１０１が、ＣＤ−ＲＷであることによって、本発明の効果を最大限に発揮することが可能となる。
【００４２】
（実施の形態２）
書き換え型の光ディスク１０１に対して既に記録されている信号の大きさが大きすぎて、書き換え可能な記録パワーが光ディスク１０１の記録パワー許容範囲を超えた場合における実施の形態について、ＣＤ−ＲＷを一例として説明する。
【００４３】
図３は、本発明の実施の形態２における光ディスク記録方法を示すフローチャートである。光ディスク種類の判別（Ｓ１）、記録済みであるかの確認（Ｓ２）、前回記録時の記録パワーを算出（Ｓ３）、書き換え可能であるかどうかの判断（Ｓ４）、ＯＰＣパラメータ設定（Ｓ５）、ＯＰＣ実行（Ｓ６）、最適記録パワーの決定（Ｓ７）、データの記録（Ｓ８）の動作と動作順番および光ディスク装置全体の構成は実施の形態１と同様である。
【００４４】
以下、本発明の実施の形態２における特徴部分について説明する。
【００４５】
記録済みであるかの確認（Ｓ２）によって、光ディスク１０１に、既に信号が記録されている場合で、書き換え型の光ディスク１０１に、既に記録されている信号の大きさが大きすぎて、書き換え可能な記録パワーが光ディスクの記録パワー許容範囲を超える場合に、使用者に要求されたデータの記録行程の前に、上書き記録が必要な部分をあらかじめ１５ｍＷ程度の記録パワーで消去し（Ｓ２１）、その後、更にその上から使用者に要求されたデータの記録を５０ｍＷ程度の記録パワーで行なう（Ｓ２２）。
【００４６】
そうすることにより、使用者に要求されたデータの記録行程の前に、上書き記録が必要な部分をあらかじめ消去することによって、前記書き換え型の光ディスク１０１に対して既に記録されている信号の大きさが大きい信号を一旦信号の大きさが小さい信号に引き下げることが可能となり、また、その後、更にその上から使用者に要求されたデータの記録を行なうことによって、光ディスク１０１の記録耐用回数に与える影響を最小限に抑えることが可能となる。
【００４７】
これらのことにより、光ディスク装置間で互換性の取りにくい記録パワーに起因する上書き記録品質の向上と光ディスク１０１の記録耐用回数の向上を両立することが可能な光ディスク記録方法を実現することができる。
【００４８】
なお、本実施の形態では、書き換え型の光ディスク１０１に、既に記録されている信号の大きさが大きすぎて、書き換え可能な記録パワーが光ディスク１０１の記録パワー許容
範囲を超える場合に、使用者から要求されたデータの記録行程の前に、上書き記録が必要な部分をあらかじめ消去し、その後、更にその上から使用者に要求されたデータの記録を行なうこととしたが、使用者から要求されたデータの記録に用いる記録パワーは、あらかじめ決められたものを用いるのでは無く、新たにＯＰＣ実行により算出したものでも良い。上書きの記録時間を短縮しようと思えば、使用者に要求されたデータの記録に用いる記録パワーは、あらかじめ決められたものを用いることが好ましい。
【００４９】
また、本実施の形態では、使用者に要求されたデータの記録行程の前に、上書き記録が必要な部分をあらかじめ１５ｍＷ程度の記録パワーで消去し、使用者に要求されたデータの上書き記録を５０ｍＷ程度の記録パワーで行なうこととしたが、上書き記録が必要な部分をあらかじめ１５ｍＷ程度の記録パワーで消去することやデータの上書き記録は５０ｍＷ程度の記録パワーに限定されるものでは無い。光ディスク１０１の記録耐用回数に与える影響を最小限に抑えることと同時に、光ディスク１０１への上書き特性を向上させようと思えば、使用者に要求されたデータの上書き記録を５０ｍＷ程度の記録パワーで行なうことが好ましい。
【００５０】
さらに、本実施の形態では、書き換え型の光ディスク１０１をＣＤ−ＲＷであることとして説明したが、書き換え型の光ディスク１０１はＣＤ−ＲＷに限定されるものでは無い。書き換え型の光ディスク１０１が、ＣＤ−ＲＷであることによって、本発明の効果を最大限に発揮することが可能となる。
【００５１】
（実施の形態３）
書き換え型の光ディスク１０１に対して既に記録されている信号の大きさが大きすぎて、書き換え可能な記録パワーが光ディスク１０１の記録パワー許容範囲を超えた場合における実施の形態について、ＣＤ−ＲＷを一例として説明する。
【００５２】
図４は、本発明の実施の形態３における光ディスク記録方法を示すフローチャートである。光ディスク種類の判別（Ｓ１）、記録済みであるかの確認（Ｓ２）、前回記録時の記録パワーを算出（Ｓ３）、書き換え可能であるかどうかの判断（Ｓ４）、ＯＰＣパラメータ設定（Ｓ５）、ＯＰＣ実行（Ｓ６）、最適記録パワーの決定（Ｓ７）、データの記録（Ｓ８）の動作と動作順番および光ディスク装置全体の構成は実施の形態１、実施の形態２と同様である。
【００５３】
以下、本発明の実施の形態３における特徴部分について説明する。
【００５４】
記録済みであるかの確認（Ｓ２）によって、光ディスク１０１に、既に信号が記録されている場合で、書き換え型の光ディスク１０１に対して既に記録されている信号の大きさが大きすぎて、書き換え可能な記録パワーが光ディスク１０１の記録パワー許容範囲を超える場合は、使用者に警告表示、警告音などの警告メッセージを与える（Ｓ３１）。
【００５５】
そうすることにより、使用者に警告メッセージを与えることによって、上書き可能なパワーでは光ディスク１０１にダメージを与えてしまう可能性がある場合をあらかじめ知らせることが可能となり、大切なデータが喪失する不用意な光ディスク１０１の破壊を未然に回避することができる。
【００５６】
これらのことにより、光ディスク装置間で互換性の取りにくい記録パワーに起因する上書き記録品質の向上と光ディスク１０１の記録耐用回数の向上を両立することが可能な光ディスク記録方法を実現することができる。
【００５７】
なお、本実施の形態では、書き換え型の光ディスク１０１をＣＤ−ＲＷであることとし
て説明したが、書き換え型の光ディスク１０１はＣＤ−ＲＷに限定されるものでは無い。書き換え型の光ディスクが、ＣＤ−ＲＷであることによって、本発明の効果を最大限に発揮することが可能となる。
【産業上の利用可能性】
【００５８】
本発明は、光ディスク装置間で互換性の取りにくい記録パワーに起因する上書き記録品質の向上と光ディスクの記録耐用回数の向上を両立することが可能な光ディスク記録方法を実現することができ、光ピックアップにより光ディスクに対して情報の記録を行なう光ディスク記録方法などに適応可能である。
【図面の簡単な説明】
【００５９】
【図１】本発明の実施の形態１における光ディスク装置の光ピックアップ制御部のブロック図
【図２】本発明の実施の形態１における光ディスク記録方法を示すフローチャート
【図３】本発明の実施の形態２における光ディスク記録方法を示すフローチャート
【図４】本発明の実施の形態３における光ディスク記録方法を示すフローチャート
【図５】従来の光ディスク装置における光ピックアップ制御部のブロック図
【図６】従来の光ディスク記録方法を示すフローチャート
【符号の説明】
【００６０】
１    レーザダイオード
２    光ピックアップ
３    受光回路
４    フォトダイオード
５    ドライバ回路
６    パターン生成回路
７    レーザパワー制御回路
８    アナログ信号生成回路
９    Ａ／Ｄコンバータ
１０    ＣＰＵ
１１    ＲＯＭ
１１ａ    格納部
１１ｂ    格納部
１２    ＲＡＭ
１０１    光ディスク
１０２    スピンドルモータ
【図１】
2006127592.tif 000003
【図２】
2006127592.tif 000004
【図３】
2006127592.tif 000005
【図４】
2006127592.tif 000006
【図５】
2006127592.tif 000007
【図６】
2006127592.tif 000008